(57)【特許請求の範囲】
【請求項１】
映像信号または音声信号またはその両者をディジタル化し、その先頭部分に前記映像信号および前記音声信号以外の情報データを記録する情報エリアを設けて、記録媒体上にファイルとして記録する映像音声信号の記録方法において、
先頭部分に前記情報エリアが設けられた前記映像信号または音声信号の、前記情報エリアを除いた長さは前記記録媒体の最小書き込みサイズの整数倍であり、
前記情報エリアは長さを調整する長さ調整構造を有し、この長さ調整構造を用いて、前記情報エリアの長さを前記記録媒体の最小書き込みサイズの整数倍に一致させて記録する
ことを特徴とする映像音声信号の記録方法。
【請求項２】
前記長さ調整構造は必要とされる長さのデータを前記情報エリア内に挿入することによって長さを調整する構造であることを特徴とする請求項１に記載の映像音声信号の記録方法。
【請求項３】
映像信号または音声信号またはその両者をディジタル化し、その先頭部分に前記映像信号および前記音声信号以外の情報データを記録する情報エリアを設けて、記録媒体上にファイルとして記録する映像音声信号記録装置において、
先頭部分に前記情報エリアが設けられた前記映像信号または音声信号の、前記情報エリアを除いた長さは前記記録媒体の最小書き込みサイズの整数倍であり、
前記情報エリアの長さを調整する長さ調整手段を具備し、この長さ調整手段は、長さ調整により前記情報エリアの長さを前記記録媒体の最小書き込みサイズの整数倍に一致させた後、記録させることを特徴とする映像音声信号記録装置。
【請求項４】
前記長さ調整手段は、必要とされる長さのデータを前記情報エリア内に挿入することによって、前記情報エリアの長さを前記記録媒体の最小書き込みサイズの整数倍に一致させるよう調整することを特徴とする請求項３に記載の映像音声信号記録装置。
【発明の詳細な説明】
【０００１】
【発明の属する技術分野】
本発明は、映像音声信号の記録方法および記録装置に関し、特にデータの高速転送に適した映像音声信号の記録方法に関する。
【０００２】
【従来の技術】
従来、Ｗｉｎｄｏｗｓの汎用アプリケーションで使用される音声ファイルには、標準ファイル形式であるＲＩＦＦ（Resource Interchange File Format）形式のファイルであるウェーブフォームオーディオファイルのフォーマットが用いられている。このファイルフォーマットでは、オーディオデータ以外にチャンネル数やサンプルビット数等の情報をサブチャンクという形でファイルの先頭部分に設ける構造が採られている。
しかし、このようなファイルからオーディオデータ部分だけを読み出す場合、これらのオーディオデータ以外の情報データとオーディオデータとの境界を検出しなければならないため、一度システムメモリに全データを読みだした後で、必要な部分だけを取り出すという作業を行う必要があった。また、書き込む場合も同様に、一度システムメモリ上で合成を行った上で、ファイルに書き込まなければならなかった。
【０００３】
読みだし書き込みにあたり、このような作業が必要なため、多チャンネル再生等で、多くのファイルを読み出す場合に、高速な読み出しが必要になり、例えば、システムメモリを経由しないでデータを高速に転送するＰＣＩ（Peripheral Component Interconnect ）バスを用いたＤＭＡ（Direct Memory Access）転送を行う場合においては、ハードディスクのセクタ長の整数倍で読みださなくてはならないため、情報ファイルとオーディオデータファイルに分割しなければならず、Ｗｉｎｄｏｗｓの汎用アプリケーションとのファイル互換を保てないという問題があった。また、同様な問題が多チャンネル記録の場合にも発生する。
【０００４】
【発明が解決しようとする課題】
上述のごとく、従来のＷｉｎｄｏｗｓの汎用アプリケーションで使用されるウェーブフォームオーディオファイルの再生、記録に際して、一度システムメモリ上で全データを処理する作業が必要であるため、高速の転送に問題があり、ＤＭＡ転送等の場合にはハードディスクのファイルとＷｉｎｄｏｗｓの汎用アプリケーションファイルとの互換性が保てない等の問題があった。
本発明はこの点を解決して、比較的簡単な方法で、ＤＭＡ転送等の高速転送がファイルの互換性を保持して可能な映像音声信号の記録方法とそれを実行する記録装置の実現を課題とする。
【０００５】
【課題を解決するための手段】
上記課題を達成するため、本発明は、映像信号または音声信号またはその両者をディジタル化し、その先頭部分に前記映像信号および前記音声信号以外の情報データを記録する情報エリアを設けて、記録媒体上にファイルとして記録する映像音声信号の記録方法において、前記情報エリアは長さを調整する構造を有し、この長さを調整する構造を用いて、前記情報エリアの長さを前記記録媒体の最小書き込みサイズの整数倍に一致させて記録することを特徴とする。
【０００６】
また、映像信号または音声信号またはその両者をディジタル化し、その先頭部分に前記映像信号および前記音声信号以外の情報データを記録する情報エリアを設けて、記録媒体上にファイルとして記録する映像音声信号記録装置において、前記情報エリアの長さを調整する長さ調整手段を具備し、この長さ調整手段は、長さ調整により前記情報エリアの長さを前記記録媒体の最小書き込みサイズの整数倍に一致させた後、記録させることを特徴とする。
【０００７】
【発明の実施の形態】
以下、本発明にかかる映像音声信号の記録方法および記録装置を添付図面を参照にして詳細に説明する。
【０００８】
図１は、本発明を用いるオーディオ信号記録装置の構成を示すブロック図である。
この記録装置は、オーディオ信号を入力するオーディオ入力端子８と、オーディオ信号を出力するオーディオ出力端子９と、オーディオ信号とオーディオデータの変換を行う入出力部２と、オーディオデータを蓄えておく外部入出力メモリ１と、例えばコンピュータのＰＣＩバスのような内部バス１０と、バス入出力を行う３つのバスＩ／Ｏ部、バスＩ／Ｏ部Ａ３、バスＩ／Ｏ部Ｂ４、バスＩ／Ｏ部Ｃ６と、例えばコンピュータのメインメモリであるシステムメモリ５と、オーディオデータ記憶ディスク７とで構成されている。
【０００９】
図２は、オーディオデータ記憶ディスク７に保存されているファイルフォーマットを示している。このファイルはＲＩＦＦ形式のファイルであるウェーブフォームオーディオファイルに準拠し、一連のデータのチャンク（大きな塊）で構成されている。図２で、１１はヘッダー部、１２はオーディオデータ部、１３はｔｒｉｍチャンクである。フォーマットヘッダー部１１中の文字部分はＡＳＣII（アスキー）で、数字の部分はヘキサで記録されている。
【００１０】
ＲＩＦＦチャンクには、ヘッダー部１１にｆｍｔとｄａｔａの２個のサブチャンクが必要である。これに、本発明ではさらにｔｒｉｍチャンク１３をこの２つのサブチャンクの間に追加することにより、オーディオデータファイルにおける開始位置を調整可能にしている。
例えば、図２の例では、ｆｍｔとｄａｔａの２個のチャンクだけではヘッダー部１１のサイズは４４バイトであるが、ｔｒｉｍチャンク１３として図に示すように４６８（５１２−４４）バイトのデータを加えることにより、５１２バイトに調整することができる。また、ＴＲＩＭデータとしてとくに規定はないが、調整後のサイズ等を記録しておくことも可能である。
【００１１】
次に、本発明の映像音声信号の記録方法にしたがって、図１のオーディオ信号記録装置にオーディオ信号を記録し再生する場合の動作について説明する。
まず、外部のオーディオ信号を記録する場合について述べる。外部のオーディオ信号を記録する場合は、図１のシステムメモリ５にあらかじめ図２に示したようなヘッダー部のデータを作成して記憶しておき、バスＩ／Ｏ部Ｂ４、内部バス１０およびバスＩ／Ｏ部Ｃ６を経由してオーディオデータ記憶ディスク７へ書き込みを行う。このとき、図２におけるｔｒｉｍチャンク１３のサイズを調整することによって、ヘッダー部１１のサイズをオーディオデータ記憶ディスク７の最小記録単位であるセクタ長（この場合は５１２バイト）の整数倍にする。
【００１２】
次に、オーディオ入力端子８から外部のオーディオ信号を入力する。オーディオ入力端子８からのオーディオ信号は入出力部２により、オーディオデータに変換され、外部入出力メモリ１に一定の時間貯えられる。貯えられたオーディオデータは、バスＩ／Ｏ部Ａ３、内部バス１０およびバスＩ／Ｏ部Ｃ６を経由するＤＭＡ転送によって、オーディオデータ記憶ディスク７へ直接高速に書き込まれる。
記録を停止した時点では、記録データサイズを書き換えるために、システムメモリ５のヘッダー部のデータを修正し、再度書き込みを行って、オーディオファイルが作成される。
【００１３】
一方、オーディオデータ記憶ディスク７に保存されているオーディオファイルを再生する場合について説明する。オーディオデータ記憶ディスク７に保存されているオーディオファイルを再生する場合は、ファイルのヘッダー部１１のデータをバスＩ／Ｏ部Ｃ６、内部バス１０およびバスＩ／Ｏ部Ｂ４を経由してあらかじめシステムメモリ５に読み出しておき、再生情報を取得する。
次に、オーディオデータは、バスＩ／Ｏ部Ｃ６、内部バス１０およびバスＩ／Ｏ部Ａ３を経由して外部入出力メモリ１に直接読み出され、入出力部２でオーディオ信号に変換されて、オーディオ出力端子９を経て外部に出力される。
【００１４】
例えば、ウエーブフォームオーディオファイルにおけるオーディオデータ以外のオーディオヘッダー部分１１が、ハードディスクでの記録の１セクタの大きさで生成できるとすれば、記録動作時におけるオーディオデータの書き込みは、ヘッダー部セクタの次のセクタから書き込むことができる。また、再生動作時におけるオーディオデータの読み出しも、同じようにヘッダー部セクタの次の２番目のセクタから読み出すことができる。
【００１５】
したがって、読みだし単位、または書き込み単位をハードディスクの最小アクセス単位であるセクタ単位の整数倍にすることができるので、図１におけるバスＩ／Ｏ部Ｂ４を経由せずに、バスＩ／Ｏ部Ａ３から内部バス１０を経てバスＩ／Ｏ部Ｃ６に高速にデータを転送できるようなシステムにおいては、ヘッダー部分に影響されずに、オーディオデータ部分だけをより高速に転送することが可能になる。
【００１６】
以上の説明では、記録信号をオーディオ（音声）信号として説明したが、記録信号が映像信号であっても、音声信号と映像信号の両者であっても、基本的に同様な考え方で記録できることはいうまでもない。
また、以上の説明では主として記録方法について述べたが、このような記録方法を採用する映像音声信号記録装置も本発明の対象とするものである。
【００１７】
【発明の効果】
以上説明したように本発明によれば、映像信号または音声信号またはその両者をディジタル化し、その先頭部分に映像信号および音声信号以外の情報データを記録する情報エリアを設けて、記録媒体上にファイルとして記録する映像音声信号の記録方法において、この情報エリアは長さを調整する長さ調整構造を有し、この長さ調整構造を用いて、情報エリアの長さを記録媒体の最小書き込みサイズの整数倍に一致させて記録するようにしたことにより、記録媒体上において、映像信号および音声信号の開始アドレスを記録媒体のセクタの記録開始点に一致させることができ、これにより、映像信号および音声信号を、情報データと切り離すような特別な処理をすることなく、記録媒体から直接転送することができる。
【００１８】
これにより、請求項１および３に対応する実施の形態によれば、ウエーブフォームオーディオファイルにおけるオーディオデータの開始アドレスをハードディスクにおけるセクタの開始点に一致させることができる。したがって、コンピュータのシステムメモリを用いてオーディオデータ部分だけを抽出する作業を経ないで、オーディオデータの転送が可能になる。
このため、オーディオデータとチャネルデータ等の情報データを別ファイルにすることなく、多チャンネルの記録再生等に必要な高速データ転送を実現することができる。したがって、Ｗｉｎｄｏｗｓの汎用アプリケーションで使用される音声ファイルであるウエーブフォームオーディオファイルとの互換性を保つことができるので、リアルタイム性を有するノンリニア編集のアプリケーションに汎用のアプリケーションをプラグインすることが可能になり、アプリケーションの機能追加を容易に行うことができる。
【００１９】
また請求項２および４に対応する実施の形態によれば、長さ調整構造が必要とされる長さのデータを情報エリア内に挿入することによって長さを調整する構造であることを特徴とする。
これにより、容易かつ高速に長さ調整が可能になり、リアルタイムでの長さ調整が実現できる。
【図面の簡単な説明】
【図１】本発明を用いることのできるオーディオ信号記録装置の構成を示すブロック図。
【図２】本発明によるオーディオデータ記憶ディスク上のファイルフォーマット。
【符号の説明】
１…外部入出力メモリ、２…入出力部、３…バスＩ／Ｏ部Ａ、４…バスＩ／Ｏ部Ｂ、５…システムメモリ、６…バスＩ／Ｏ部Ｃ、７…オーディオデータ記憶ディスク、８…オーディオ入力端子、９…オーディオ出力端子、１０…内部バス、１１…ヘッダー部、１２…オーディオデータ、１３…ｔｒｉｍチャンク。
【図１】
0004235856.tif 000002
【図２】
0004235856.tif 000003